【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
移動性管理エンティティ（ｍｏｂｉｌｉｔｙ  ｍａｎａｇｅｍｅｎｔ  ｅｎｔｉｔｙ，ＭＭＥ）での通信方法において、
基地局から第１要請メッセージを受信する段階と、
前記ＭＭＥが同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）目録に含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、ホーム加入者サーバー（ｈｏｍｅ  ｓｕｂｓｃｒｉｂｅｒ  ｓｅｒｖｅｒ，ＨＳＳ）へ前記同等ＰＬＭＮ目録を含む第２要請メッセージを伝送する段階と、
前記ＨＳＳから前記同等ＰＬＭＮリストに対するＣＳＧ加入者情報を含む応答メッセージを受信する段階と
を含む通信方法。
【請求項２】
前記同等ＰＬＭＮリストは、端末がセル選択、セル再選択、又はハンドオーバー時に同等に考慮されるＰＬＭＮの目録であることを特徴とする請求項１に記載の通信方法。
【請求項３】
ターゲットＰＬＭＮの加入情報に基づいて前記ＭＭＥがｉｎｔｅｒ−ＰＬＭＮハンドオーバーを支援する場合、前記第２要請メッセージは前記同等ＰＬＭＮ目録を含むことを特徴とする請求項１に記載の通信方法。
【請求項４】
ターゲットセルのＣＳＧ識別子（ＩＤ）又はターゲットＰＬＭＮ情報のうちの少なくとも１つを含むハンドオーバー要請メッセージを前記基地局から受信する段階と、
前記同等ＰＬＭＮリストに対する前記ＣＳＧ加入情報をベースに端末のＣＳＧメンバーシップを認証する段階と
をさらに含むことを特徴とする請求項１に記載の通信方法。
【請求項５】
前記ＣＳＧメンバーシップを認証する段階は、
前記同等ＰＬＭＮリストに対するＣＳＧ加入情報に基づいて前記ハンドオーバーが許容されない場合、前記ハンドオーバーを拒絶する段階を含むことを特徴とする請求項４に記載の通信方法。
【請求項６】
前記第２要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項１に記載の通信方法。
【請求項７】
ホーム加入者サーバー（ｈｏｍｅ  ｓｕｂｓｃｒｉｂｅｒ  ｓｅｒｖｅｒ，ＨＳＳ）での通信方法において、
移動性管理エンティティ（ｍｏｂｉｌｉｔｙ  ｍａｎａｇｅｍｅｎｔ  ｅｎｔｉｔｙ，ＭＭＥ）が同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）目録に含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、前記ＭＭＥから前記同等ＰＬＭＮ目録を含む要請メッセージを受信する段階と、
前記同等ＰＬＭＮ目録に対するＣＳＧ加入情報を含む応答メッセージを前記ＭＭＥへ伝送する段階と
を含む通信方法。
【請求項８】
前記同等ＰＬＭＮリストは、端末がセル選択、セル再選択又はハンドオーバー時に同等に考慮されるＰＬＭＮの目録であることを特徴とする請求項７に記載の通信方法。
【請求項９】
ターゲットＰＬＭＮの加入情報に基づいて前記ＭＭＥがｉｎｔｅｒ−ＰＬＭＮハンドオーバーを支援する場合、前記要請メッセージは前記同等ＰＬＭＮ目録を含むことを特徴とする請求項７に記載の通信方法。
【請求項１０】
前記要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項７に記載の通信方法。
【請求項１１】
前記ＭＭＥが基地局からターゲットセルのＣＳＧ識別子（ＩＤ）又はターゲットＰＬＭＮ情報のうちの少なくとも１つを含むハンドオーバー要請メッセージを受信する場合、前記同等ＰＬＭＮ目録に対するＣＳＧ加入情報は、ターゲットセルで端末のＣＳＧメンバーシップ（ｍｅｍｂｅｒｓｈｉｐ）を認証するのに使用されることを特徴とする請求項７に記載の通信方法。
【請求項１２】
前記同等ＰＬＭＮリストに対する前記ＣＳＧ加入情報に基づいて前記ハンドオーバーが許容されない場合、前記ハンドオーバーは拒絶されることを特徴とする請求項１１に記載の通信方法。
【請求項１３】
移動通信システムの移動性管理エンティティ（ｍｏｂｉｌｉｔｙ  ｍａｎａｇｅｍｅｎｔ  ｅｎｔｉｔｙ，ＭＭＥ）において、
信号を送受信する送受信部と、
基地局から第１要請メッセージを受信して、前記ＭＭＥが同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）目録に含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、ホーム加入者サーバー（ｈｏｍｅ  ｓｕｂｓｃｒｉｂｅｒ  ｓｅｒｖｅｒ，ＨＳＳ）へ前記同等ＰＬＭＮ目録を含む第２要請メッセージを伝送し、前記ＨＳＳから前記同等ＰＬＭＮリストに対するＣＳＧ加入者情報を含む応答メッセージを受信するように前記送受信部を制御する制御部と
を含むＭＭＥ。
【請求項１４】
前記同等ＰＬＭＮリストは、端末がセル選択、セル再選択又はハンドオーバー時に同等に考慮されるＰＬＭＮの目録であることを特徴とする請求項１３に記載のＭＭＥ。
【請求項１５】
ターゲットＰＬＭＮの加入情報に基づいて前記ＭＭＥがｉｎｔｅｒ−ＰＬＭＮハンドオーバーを支援する場合、前記第２要請メッセージは、前記同等ＰＬＭＮ目録を含むことを特徴とする請求項１３に記載のＭＭＥ。
【請求項１６】
前記制御部は、
ターゲットセルのＣＳＧ識別子（ＩＤ）又はターゲットＰＬＭＮ情報のうちの少なくとも１つを含むハンドオーバー要請メッセージを前記基地局から受信するように前記送受信部を制御し、前記同等ＰＬＭＮリストに対する前記ＣＳＧ加入情報に基づいて端末のＣＳＧメンバーシップ（ｍｅｍｂｅｒｓｈｉｐ）を認証することを特徴とする請求項１３に記載のＭＭＥ。
【請求項１７】
前記制御部は、
前記同等ＰＬＭＮリストに対するＣＳＧ加入情報に基づいて前記ハンドオーバーが許容されない場合、前記ハンドオーバーを拒絶することを特徴とする請求項１６に記載のＭＭＥ。
【請求項１８】
前記第２要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項１３に記載の通信方法。
【請求項１９】
移動通信システムのホーム加入者サーバー（ｈｏｍｅ  ｓｕｂｓｃｒｉｂｅｒ  ｓｅｒｖｅｒ，ＨＳＳ）において、
信号を送受信する送受信部と、
移動性管理エンティティ（ｍｏｂｉｌｉｔｙ  ｍａｎａｇｅｍｅｎｔ  ｅｎｔｉｔｙ，ＭＭＥ）が同等（ｅｑｕｉｖａｌｅｎｔ）ＰＬＭＮ（ｐｕｂｌｉｃ  ｌａｎｄ  ｍｏｂｉｌｅ  ｎｅｔｗｏｒｋ）目録に含まれた閉鎖加入者グループ（ｃｌｏｓｅｄ  ｓｕｂｓｃｒｉｂｅｒ  ｇｒｏｕｐ，ＣＳＧ）セルでｉｎｔｅｒ−ＰＬＭＮハンドオーバーを支援する場合、前記ＭＭＥから前記同等ＰＬＭＮ目録を含む要請メッセージを受信して、前記同等ＰＬＭＮ目録に対するＣＳＧ加入情報を含む応答メッセージを前記ＭＭＥへ伝送するように前記送受信部と
を制御することを特徴とするＨＳＳ。
【請求項２０】
前記同等ＰＬＭＮリストは、端末がセル選択、セル再選択又はハンドオーバー時に同等に考慮されるＰＬＭＮの目録であることを特徴とする請求項１９に記載のＨＳＳ。
【請求項２１】
ターゲットＰＬＭＮの加入情報に基づいて、前記ＭＭＥがｉｎｔｅｒ−ＰＬＭＮハンドオーバーを支援する場合、前記要請メッセージは、前記同等ＰＬＭＮ目録を含むことを特徴とする請求項１９に記載のＨＳＳ。
【請求項２２】
前記要請メッセージは、位置アップデート要請メッセージ（ｕｐｄａｔｅ  ｌｏｃａｔｉｏｎ  ｒｅｑｕｅｓｔ  ｍｅｓｓａｇｅ）であり、前記応答メッセージは、位置アップデート確認メッセージ（ｕｐｄａｔｅ  ｌｏｃａｔｉｏｎ  ａｃｋｎｏｗｌｅｄｇｅｍｅｎｔ  ｍｅｓｓａｇｅ）であることを特徴とする請求項１９に記載のＨＳＳ。
【請求項２３】
前記ＭＭＥが基地局からターゲットセルのＣＳＧ識別子（ＩＤ）又はターゲットＰＬＭＮ情報のうちの少なくとも１つを含むハンドオーバー要請メッセージを受信する場合、前記同等ＰＬＭＮ目録に対するＣＳＧ加入情報は、ターゲットセルで端末のＣＳＧメンバーシップ（ｍｅｍｂｅｒｓｈｉｐ）を認証するのに使用されることを特徴とする請求項１９に記載のＨＳＳ。
【請求項２４】
前記同等ＰＬＭＮリストに対する前記ＣＳＧ加入情報に基づいて前記ハンドオーバーが許容されない場合、前記ハンドオーバーは拒絶されることを特徴とする請求項２３に記載のＨＳＳ。